(57)【要約】【課題】筆記を妨げることなく開閉可能な弁機構を備えた筆記具を提供する。【解決手段】筆記具１が、軸筒２と、弁座３４及び弁座３４に向かって前方に付勢された弁体８を有する弁機構２０と、軸筒２の前端から突出し且つ前後動可能な摺動子７と、摺動子７に対する係合位置及び非係合位置間を移動可能な係合子９と、を具備し、係合子９が係合位置にあるときに摺動子７を後退させると、係合子９が弁体８と係合して弁体８が後退し、係合子９が非係合位置にあるときに摺動子７を後退させると、弁体８が後退しないように構成されている。【選択図】図１
2020163782.tif 000002
【特許請求の範囲】
【請求項１】
軸筒と、
弁座及び前記弁座に向かって前方に付勢された弁体を有する弁機構と、
前記軸筒の前端から突出し且つ前後動可能な摺動子と、
前記摺動子に対する係合位置及び非係合位置間を移動可能な係合子と、を具備し、
前記係合子が前記係合位置にあるときに前記摺動子を後退させると、前記係合子が前記弁体と係合して前記弁体が後退し、
前記係合子が前記非係合位置にあるときに前記摺動子を後退させると、前記弁体が後退しないように構成されていることを特徴とする筆記具。
【請求項２】
前記係合子の前記係合位置及び前記非係合位置間の移動が、前記軸筒の姿勢に応じた重力によって行われ、当該筆記具を鉛直方向に沿って配置すると、前記係合子が前記係合位置に移動し、当該筆記具を鉛直方向に対して傾斜させると、前記係合子が前記非係合位置に移動する請求項１に記載の筆記具。
【請求項３】
前記摺動子が凹部を有し、前記係合位置では前記係合子が前記凹部の中に配置され且つ前記係合子の一部が前記凹部の外に突出し、前記非係合位置では前記係合子が前記凹部の外に配置されている請求項１又は２に記載の筆記具。
【請求項４】
前記係合子が球体である請求項１乃至３のいずれか一項に記載の筆記具。
【発明の詳細な説明】
【技術分野】
【０００１】
本発明は、筆記具に関する。
【背景技術】
【０００２】
インク室と、筆穂等の荷重支持能力の無い筆記部とを備えた筆記具において、弁機構を介してインクを筆記部に供給する筆記具が公知である（特許文献１）。弁機構は、スプリングによって弁座に向かって前方に付勢され且つピン形状の押圧部を備えた弁体を有している。スプリングの付勢力に抗して押圧部を筆記面に対して押圧すると、弁体が後退する。それによって、弁体が弁座から離間し、弁機構が開放されることで、インク室のインクが筆記部に供給される。
【先行技術文献】
【特許文献】
【０００３】
【特許文献１】実開昭６０−６２９８５号公報
【発明の概要】
【発明が解決しようとする課題】
【０００４】
特許文献１に記載の筆記具では、前方に付勢された押圧部が筆記部に埋没している。したがって、筆記時において、筆記部と共に押圧部が筆記面に当接し、押圧部が筆記面を擦過してしまう場合がある。その場合、押圧部によって筆記が妨げられ、押圧部による擦過が使用者に対して不快な感触を与え、さらには押圧部が筆記面を損傷する可能性がある。
【０００５】
本発明は、筆記を妨げることなく開閉可能な弁機構を備えた筆記具を提供することを目的とする。
【課題を解決するための手段】
【０００６】
本発明の一態様によれば、軸筒と、弁座及び前記弁座に向かって前方に付勢された弁体を有する弁機構と、前記軸筒の前端から突出し且つ前後動可能な摺動子と、前記摺動子に対する係合位置及び非係合位置間を移動可能な係合子と、を具備し、前記係合子が前記係合位置にあるときに前記摺動子を後退させると、前記係合子が前記弁体と係合して前記弁体が後退し、前記係合子が前記非係合位置にあるときに前記摺動子を後退させると、前記弁体が後退しないように構成されていることを特徴とする筆記具が提供される。
【０００７】
前記係合子の前記係合位置及び前記非係合位置間の移動が、前記軸筒の姿勢に応じた重力によって行われるようにしてもよい。また、当該筆記具を鉛直方向に沿って配置すると、前記係合子が前記係合位置に移動し、当該筆記具を鉛直方向に対して傾斜させると、前記係合子が前記非係合位置に移動するようにしてもよい。前記摺動子が凹部を有し、前記係合位置では前記係合子が前記凹部の中に配置され且つ前記係合子の一部が前記凹部の外に突出し、前記非係合位置では前記係合子が前記凹部の外に配置されていてもよい。また、前記凹部が前記摺動子の外面において環状に設けられていてもよい。前記係合子が球体であってもよい。また、筆記部が筆穂であってもよい。
【発明の効果】
【０００８】
本発明の態様によれば、筆記を妨げることなく開閉可能な弁機構を備えた筆記具を提供するという共通の効果を奏する。
【図面の簡単な説明】
【０００９】
【図１】図１は、本発明の実施形態による筆記具の部分断面斜視図である。
【図２】図２は、鉛直状態の筆記具の縦断面図である。
【図３】図３は、傾斜状態の筆記具の縦断面図である。
【図４】図４は、摺動子の斜視図である。
【図５】図５は、弁体の側面図である。
【図６】図６は、インク供給中の筆記具の縦断面図である。
【図７】図７は、筆記中の筆記具の縦断面図である。
【発明を実施するための形態】
【００１０】
以下、図面を参照しながら本発明の実施の形態を詳細に説明する。全図面に渡り、対応する構成要素には共通の参照符号を付す。
【００１１】
図１は、本発明の実施形態による筆記具１の部分断面斜視図であり、図２は、鉛直状態の筆記具１の縦断面図であり、図３は、傾斜状態の筆記具１の縦断面図である。なお、参照符号については、図２を中心に参照されたい。
【００１２】
筆記具１は、筒状の前軸３及び後軸４を有する筒状の軸筒２と、軸筒２、すなわち前軸３の前端部に嵌合する筒状の保持部材５と、保持部材５によって保持される筆記部６とを有している。本明細書中では、筆記具１の軸線方向において、筆記部６側を「前」側と規定し、筆記部６とは反対側を「後」側と規定する。
【００１３】
前軸３の前端部には、嵌合部３１が形成されている。嵌合部３１の後方には小径部３２が形成されている。小径部３２の後方には、より大径の大径部３３が形成されている。小径部３２及び大径部３３の境界部の内面には、前方に向かって縮径するテーパー状の弁座３４が形成されている。前軸３の前端面、すなわち嵌合部３１の前端面には、円形の突出孔３５が形成されている。小径部３２の前端部の内面には、前方に向かって縮径する急峻なテーパー状の傾斜面３６が形成されている。嵌合部３１の外面には、環状の係止突起３７が形成されている。
【００１４】
後軸４の前端部には、より小径の接続部４１が形成されている。接続部４１の後部近傍における後軸４の内面には、径方向内方に突出する環状突起４２が形成されている。環状突起４２の後端面と後軸４の内面とによって、後軸４の内部にインクが収容されるインク室４３が画成されている。後軸４の接続部４１の外面に対して、前軸３の後端部の内面が嵌合することによって、前軸３と後軸４とが一体的に接続される。
【００１５】
保持部材５は、前軸３の係止突起３７に対してスナップ式に嵌合することによって、筆記部６を保持しつつ、前軸３と一体的に接続される。本実施形態における筆記部６は、非常に柔軟なため荷重支持能力の無い筆穂である。
【００１６】
筆記具１は、軸筒２の内部において、摺動子７と、弁体８と、係合子９と、スプリング１０とを有している。係合子９は、球体である。
【００１７】
図４は、摺動子７の斜視図である。摺動子７は、図４において、下方が前側となるように軸筒２内に配置される。摺動子７は、円柱状の本体部７１と、本体部７１の前端面から前方に延びる棒状の押圧部７２とを有している。本体部７１の外面には、全周に亘る環状の凹部７３が形成されている。凹部７３は、図２及び図３に示されるように、Ｕ字形の断面形状である。摺動子７の外面には、前端から後端に亘る４つの縦溝７４が周方向に沿って等間隔に形成されている。
【００１８】
図５は、弁体８の側面図である。弁体８は、図５において、下方が前側となるように軸筒２内に配置される。弁体８は、全体として円柱状に形成されている。弁体８は、図１乃至図３に示されるように、前端面８１から後方に向かって延びる挿入穴８２が形成されている。挿入穴８２は、弁体８を貫通していない。前端面８１は、前方に向かって縮径スル急峻なテーパー状に形成されている。弁体８の前端面８１の縁部には、前方に向かって縮径するテーパー状の当接面８３が形成されている。当接面８３の後方には、後方に面する環状の支持面８４が形成されている。弁体８の外面には、後端から前端近傍に亘る６つの縦溝８５が周方向に沿って等間隔に形成されている。
【００１９】
図１乃至図３に示されるように、弁体８の後部は、後軸４の環状突起４２によって画成された孔の中に配置される。スプリング１０は、弁体８を包囲するように配置されている。スプリング１０の後端は、後軸４の環状突起４２の前端面によって支持され、スプリング１０の前端は、弁体８の支持面８４（図５）によって支持されている。そのため、弁体８は、スプリング１０によって前方に付勢されている。弁体８の当接面８３は、軸筒２内、すなわち前軸３内に設けられた弁座３４に対向して配置されている。したがって、弁体８は、弁座３４に向かって前方に付勢されている。
【００２０】
摺動子７の本体部７１が弁体８の挿入穴８２内に挿入されつつ、摺動子７は、軸筒２の前端から突出し且つ前後動可能である。すなわち、摺動子７の押圧部７２は、前軸３の突出孔３５から突出している。突出孔３５から前方に突出した押圧部７２は、保持部材５によって保持された筆記部６の内部に埋没している。
【００２１】
弁座３４、及び、弁体８、特に当接面８３は、弁機構２０を構成する。図１乃至図３は弁機構２０の閉鎖状態を示しており、弁体８の当接面８３が弁座３４に対して全周に亘って密着している。また、図１乃至図３において、上方は鉛直上方であり、下方は鉛直下方である。すなわち、重力が、各図において下方に向かって作用する。係合子９は、前軸３の内面、摺動子７の凹部７３及び弁体８の前端面８１によって画成された空間内において移動可能である。
【００２２】
図１及び図２では、筆記具１が鉛直方向に沿って配置される鉛直状態であるため、係合子９は、傾斜面３６の傾斜に沿って軸筒２内において径方向内方へ移動する。それによって、係合子９は、摺動子７の凹部７３の中に配置されるように移動する。したがって、摺動子７の凹部７３の断面形状は、前軸３の傾斜面３６との境界、及び、弁体８の前端面８１との境界において、係合子９の移動を阻害しないように、筆記具１の中心軸線に直交する方向に対して傾斜したＵ字形を呈している。そのため、凹部７３、並びに、傾斜面３６及び前端面８１は、各々の境界において面一である。係合子９が摺動子７の凹部７３の中に配置された状態で、係合子９の一部は凹部７３の外に突出している。
【００２３】
図３では、筆記具１が鉛直方向に対して傾斜した傾斜状態であるため、係合子９は、軸筒２内において径方向外方へ移動する。それによって、係合子９は、摺動子７の凹部７３の外に配置されるように移動する。
【００２４】
次に、図６及び図７を参照しながら、筆記具１の使用方法について説明する。図６は、インク供給中の筆記具１の縦断面図であり、図７は、筆記中の筆記具１の縦断面図である。
【００２５】
インク室４３から筆記部６に対してインクを供給するためには、図６に示されるように、筆記具１を鉛直状態としながら筆記部６を筆記面Ｓに対して鉛直下方に押圧する。それによって、筆記部６に埋もれた押圧部７２が後退すると、凹部７３に配置された係合子９も後退する。このとき、係合子９が弁体８と係合する。具体的には、凹部７３の外に突出している係合子９の一部が、弁体８の挿入穴８２の縁部又は前端面８１と係合する。そのため、摺動子７が後退すると共に、弁体８が、スプリング１０の付勢力に抗して後退して弁座３４から離間し、弁機構２０が開放される。
【００２６】
弁機構２０が開放されると、インク室４３に収容されたインクは、弁体８の縦溝８５、弁体８の当接面８３及び弁座３４間の間隙、及び、摺動子７の縦溝７４の順に通過し、筆記部６に供給される。筆記部６に対して十分なインク量が供給されると、筆記部６の筆記面Ｓに対する押圧を解除する。その結果、スプリング１０の付勢力によって、弁体８が前方に移動して弁体８の当接面８３が弁座３４に対して全周に亘って密着し、弁機構２０は再び閉鎖される。
【００２７】
筆記具１を用いて筆記するときは、筆記具１は、通常、図３に示されるような傾斜状態とされる。このとき、上述したように、係合子９は、軸筒２内において径方向外方へ移動する。この状態で、図７に示されるように筆記動作をすると、押圧部７２は、筆記面Ｓから筆記圧の分力を受け、摺動子７は後退する。すなわち、係合子９は、完全に摺動子７の凹部７３の外に配置されていることから、摺動子７と共に移動することはなく、弁体８と係合して弁体８を後退させることもない。したがって、摺動子７は、ほとんど抵抗なく弁体８の挿入穴８２の中に後退することから、押圧部７２が筆記面を擦過して損傷することはなく、また、押圧部７２と筆記面との抵抗によって筆記が妨げられることはない。
【００２８】
本発明の実施形態によれば、係合子９は、摺動子７の凹部７３の中と外との間、すなわち摺動子７に対する係合位置及び非係合位置間を移動可能である。そして、筆記具１は、係合子９が係合位置にあるときに摺動子７を後退させると、係合子９が弁体８と係合し弁体８が後退し、係合子９が非係合位置にあるときに摺動子７を後退させると、弁体８が後退しないように構成されている。係合子９の係合位置及び非係合位置間の移動は、筆記具１の姿勢、すなわち軸筒２の姿勢に応じた重力によって行われ、筆記具１を鉛直方向に沿って配置すると、係合子９が係合位置に移動し、筆記具１を鉛直方向に対して傾斜させると、係合子９が非係合位置に移動する。したがって、本発明の実施形態によれば、筆記を妨げることなく開閉可能な弁機構２０を備えた筆記具を提供することができる。
【００２９】
摺動子７は、円柱状でなく、角柱状であってもよい。本実施形態では、摺動子７の凹部７３は、全周に亘って設けられていることによって、筆記具１の姿勢によらず、係合子９を係合位置及び非係合位置間で移動させることができる。すなわち、筆記具１の鉛直状態においては環状の凹部７３の周方向における任意の位置に、又は、筆記具１の傾斜状態においては軸筒２内の任意の位置に、球体の係合子９をルーレットのように軸筒２内で移動させることができる。しかしながら、例えば軸筒の側面にクリップを設けて使用者の把持位置を周方向において一定にさせことによって、摺動子７の凹部７３を、摺動子７の外面の半周又は一部にのみ設けるようにしてもよい。したがって、係合子９が、係合位置及び非係合位置間を径方向に往復するように構成してもよい。
【００３０】
係合子９は、係合位置及び非係合位置間を移動可能な限りにおいて、球体以外、例えば立方体であってもよい。係合子９が中に配置され且つ係合子９の一部が凹部の外に突出する限りにおいて、凹部７３の形状は、任意に構成することできる。係合子９の係合位置及び非係合位置間の移動を、重力によってではなく、手動によって行うようにしてもよい。筆記部６は、マーキングペンの繊維束芯等であってもよく、材料や形態に限定されないが、特に実施形態での荷重に対して柔軟な筆穂や、熱可塑性エラストマーや熱硬化性ゴムで形成された軟質な塗布芯とすることが好ましい。
【符号の説明】
【００３１】
１    筆記具
２    軸筒
３    前軸
３４    弁座
３５    突出孔
３６    傾斜面
４    後軸
４２    環状突起
４３    インク室
５    保持部材
６    筆記部
７    摺動子
７２    押圧部
７３    凹部
７４    縦溝
８    弁体
８１    前端面
８２    挿入穴
８３    当接面
８５    縦溝
９    係合子
１０    スプリング
２０    弁機構
【図１】
2020163782.tif 000003
【図２】
2020163782.tif 000004
【図３】
2020163782.tif 000005
【図４】
2020163782.tif 000006
【図５】
2020163782.tif 000007
【図６】
2020163782.tif 000008
【図７】
2020163782.tif 000009